(57)【特許請求の範囲】
【請求項１】
腰回り部分と左右の足通し部分とを備えた装身具本体がベッド上の利用者の下半身を対象に穿き得て腰回り部分の上縁回りと足通し部分の下縁回りとがそれぞれ対応する身体部分との間において一定の作用内圧に抗して密着状態を保持し得るものとして非通水生地をもって立体的に作製され、該装身具本体には、利用者の排便個所を噴射対象として含むように身体表面に向けて洗浄水あるいは乾燥気である供給流体を噴射可能な複数の噴射孔と、前記噴射孔に洗浄水あるいは乾燥気を導く第２の供給手段と、利用者の排便個所下方近くに対応して外向きに突出し内向きには凹状をなし外部の排除チューブが接続される回収凹部とが設けられているとともに、前記装身具本体には、供給制御手段と排除制御手段とが接続されて装備されるようにされ、これら供給制御手段と排除制御手段とは、給排用制御ユニットと、この給排用制御ユニットに洗浄水と乾燥気とを個別的に圧送可能である一方装身具本体内に供給されたものを排泄物とともに吸引排除可能な給排共用路とを有し、給排用制御ユニットは、前記第２の供給手段に接続される第１の供給手段と前記給排共用路との間に接続されるとともに前記排除チューブとも接続されて、利用者が排泄しようとする前の段階で利用者自身が手元操作によって少なくとも排泄個所を通って回収凹部から給排共用路へと吸引排除力が作用するもと定常化流れとなる強制洗浄水流を発生しかつ継続可能なように、前記給排共用路からの洗浄水や乾燥気の第１供給手段への各圧送と排除チューブを通じての回収物の吸引排除駆動の各動作を利用者により個別的に切換制御可能に構成され、前記排除制御手段は、給排用制御ユニットと給排共用路の他、回収凹部と排除チューブとでなる回収物排除手段とを含めて構成されている自己洗浄乾燥型下半身装身具。
【発明の詳細な説明】
【技術分野】
【０００１】  本発明は、自己洗浄乾燥型下半身装身具に関する。
【背景技術】
【０００２】  病院、老人介護施設、一般家庭などにおいては、寝たきり患者のように自らトイレ施設まで行って排泄行為をすることが困難ないわゆる要介護者が近年多くなってきているのが実情である。そうした人達に対しては介護ヘルパーの方達による排泄等の処置を含む介護が必要とされるが、そうした介護の必要なくしてベッドに寝たまま簡単かつ清潔に排泄物の処理が行えるようにしたいという要求も多々ある。そうした提案も多くなされておりその一例として特許公報１に開示されたものがある。
【先行技術文献】
【特許文献】
【０００３】
【特許文献１】  特開２００１−２５４５２２（該当個所：図１３、１４ならびに［００２９］〜［００３４］）
【発明の概要】
【発明が解決しようとする課題】
【０００４】  特許文献１には排泄物処理装置についての技術が開示されており、特に介護用ベッドが例示され、ベッドは上半身受部と下半身受部とに分かれて用を足す前に制御により下半身受部を上半身受部側から離してその離れた間にスペースを形成するようにし、そのスペースを利用して排泄処理槽をリフトアップさせてその吸盤が寝ている人の臀部に密着するように制御される。そして、排泄が済まされたあとは吸盤内や臀部などを放射洗浄して排除パイプを通じて排除するようになっている。そして洗浄後は下半身受部が元に戻されて上半身受部とともに平時の１つのベッドを構成するようにされる。
ところで、前記排泄処理装置付きベッドによれば、吸盤である排泄処理槽を臀部に吸着させるようにしてあるが、人それぞれに臀部の形や大きさなどが異なりしかも臀部には吸着しにくい両足太ももがあることなどにより最適な吸着状態を得にくいものである。その結果、排泄後の槽内洗浄や臀部洗浄が洩れなく確実に行えない欠点がある。また、下半身受部は用を終えたあとは強制的に上半身受部側に戻されるようになっているが、その際、洗浄を受けた人はその間に挟まれたりする危険がある。【０００５】  本発明は、こうした問題を解決しようとするものであり、自身の排泄物の処理が自己洗浄乾燥方式により穿いたままの状態で洩れや内部滞溜など全くなくまた介護者なくして簡単確実かつ安全衛生的な下に行われるようにした自己洗浄乾燥型下半身装身具を提供することを目的とする。
【課題を解決するための手段】
【０００６】  本発明は上記目的を達成するため、請求項１に記載の発明は、腰回り部分と左右の足通し部分とを備えた装身具本体がベッド上の利用者の下半身を対象に穿き得て腰回り部分の上縁回りと足通し部分の下縁回りとがそれぞれ対応する身体部分との間において一定の作用内圧に抗して密着状態を保持し得るものとして非通水生地をもって立体的に作製され、該装身具本体には、利用者の排便個所を噴射対象として含むように身体表面に向けて洗浄水あるいは乾燥気である供給流体を噴射可能な複数の噴射孔と、前記噴射孔に洗浄水あるいは乾燥気を導く第２の供給手段と、利用者の排便個所下方近くに対応して外向きに突出し内向きには凹状をなし外部の排除チューブが接続される回収凹部とが設けられているとともに、前記装身具本体には、供給制御手段と排除制御手段とが接続されて装備されるようにされ、これら供給制御手段と排除制御手段とは、給排用制御ユニットと、この給排用制御ユニットに洗浄水と乾燥気とを個別的に圧送可能である一方装身具本体内に供給されたものを排泄物とともに吸引排除可能な給排共用路とを有し、給排用制御ユニットは、前記第２の供給手段に接続される第１の供給手段と前記給排共用路との間に接続されるとともに前記排除チューブとも接続されて、利用者が排泄しようとする前の段階で利用者自身が手元操作によって少なくとも排泄個所を通って回収凹部から給排共用路へと吸引排除力が作用するもと定常化流れとなる強制洗浄水流を発生しかつ継続可能なように、前記給排共用路からの洗浄水や乾燥気の第１供給手段への各圧送と排除チューブを通じての回収物の吸引排除駆動の各動作を利用者により個別的に切換制御可能に構成され、前記排除制御手段は、給排用制御ユニットと給排共用路の他、回収凹部と排除チューブとでなる回収物排除手段とを含めて構成されている。
【発明の効果】
【０００７】  上述したように請求項１に記載の発明は、腰回り部分と左右の足通し部分とを備えた装身具本体がベッド上の利用者の下半身を対象に穿き得て腰回り部分の上縁回りと足通し部分の下縁回りとがそれぞれ対応する身体部分との間において一定の作用内圧に抗して密着状態を保持し得るものとして非通水生地をもって立体的に作製され、該装身具本体には、利用者の排便個所を噴射対象として含むように身体表面に向けて洗浄水あるいは乾燥気である供給流体を噴射可能な複数の噴射孔と、前記噴射孔に洗浄水あるいは乾燥気を導く第２の供給手段と、利用者の排便個所下方近くに対応して外向きに突出し内向きには凹状をなし外部の排除チューブが接続される回収凹部とが設けられているとともに、前記装身具本体には、供給制御手段と排除制御手段とが接続されて装備されるようにされ、これら供給制御手段と排除制御手段とは、給排用制御ユニットと、この給排用制御ユニットに洗浄水と乾燥気とを個別的に圧送可能である一方装身具本体内に供給されたものを排泄物とともに吸引排除可能な給排共用路とを有し、給排用制御ユニットは、前記第２の供給手段に接続される第１の供給手段と前記給排共用路との間に接続されるとともに前記排除チューブとも接続されて、利用者が排泄しようとする前の段階で利用者自身が手元操作によって少なくとも排泄個所を通って回収凹部から給排共用路へと吸引排除力が作用するもと定常化流れとなる強制洗浄水流を発生しかつ継続可能なように、前記給排共用路からの洗浄水や乾燥気の第１供給手段への各圧送と排除チューブを通じての回収物の吸引排除駆動の各動作を利用者により個別的に切換制御可能に構成され、前記排除制御手段は、給排用制御ユニットと給排共用路の他、回収凹部と排除チューブとでなる回収物排除手段とを含めて構成されているので、自身の排泄物の処理が自己洗浄乾燥方式により穿いたままの状態で洩れや内部滞溜など全くなくまた介護者なくして簡単確実かつ安全衛生的な下に行われるようにした自己洗浄乾燥型下半身装身具を提供することができる。
【図面の簡単な説明】
【０００８】
【図１】  本発明の一実施形態である自己洗浄乾燥型下半身装身具を着けてベッドに上向きになったもとで自己洗浄をせんとする患者など利用者の様子を示す平面図。
【図２】  図１のＩＩ−ＩＩ線模式断面図。
【図３】  図１のＩＩＩ−ＩＩＩ線模式断面図。
【図４】  装身具の他の実施形態を示す平面図。
【図５】  図４のＶ−Ｖ線断面図。
【発明を実施するための形態】
【０００９】  以下、本発明である自己洗浄乾燥型下半身装身具の一実施形態を図１ないし図３に基づいて説明する。
これらの図において１は装身具本体で、腰回り部分２と左右の足通し部分３とを非通水生地（ウレタンやシリコン、ゴム質など）として立体的に作製してなるものであり、腰回り部分２の上縁回り１ａと足通し部分３の下縁回り１ｂを弾性伸縮材により形成して対応する腰部４ａと太もも部４ｂとでなる身体部分４に対し一定の作用内圧に抗して密着状態を保持し得るようにされている。
【００１０】  装身具本体１は、共に前記と同じ材質でなる内層と外層の内外２層構造（２枚重ね式）でなり、外層は平坦な素材を裁断してそのまま平坦面を立体にしたものであるが、内層については、基本的に波型に成形されて、その凹部が外層に接合された重合部分ａ…とされる一方凸部が内向き突条型の内通路部ｂ…とされたものとなっている。内通路部ｂには、図３の右欄に一部を例示するように、内（身体）向きの噴射孔（噴射手段）ｃ…が１列直列あるいは２列並列配置さらには図示の複列千鳥配置などとして多数個所に亘って設けられている。噴射孔ｃ…を通じて洗浄水が噴射されることにより洗浄水が身体部分４との間に隙間を作って浮かせるようにしながら洗浄水を全体的に行き渡らせるようにして撹拌洗浄が効果的になされるようになっている。
【００１１】  洗浄水等の供給手段７は第１と第２の供給手段７Ａ、７Ｂで構成され、前記内通路部ｂ内の内通路７ａ〜７ｅはそのうちの第２供給手段７Ｂに該当する。
内通路７ａ〜７ｅの詳細は、図２のように前面中央から後面中央へと側面視Ｕ字状の１つの通路として設けられた幅間中央縦路７ａと、腰回り部分２の上縁部に環路状に設けられて幅間中央縦路７ａに連通するようにされた上回り路７ｂと、足通し部分３，３の下縁部に環路状に設けられた下回り路７ｃと、これら７ｂ、７ｃ間を複数列をなして縦方向に連通させるように配列された縦連通路７ｄとでなっている。これら内通路７ａ〜７ｅの全てには図３の右欄に示す噴射孔ｃ…が開けられている。
【００１２】第１供給手段７Ａは、給排用制御ユニット（供給制御手段の一つ）１６から伸び装身具本体１の幅間中央縦路７ａに連通するように結合した脱着式接続ピースＪにつながる連通チューブによって構成されている。この第１供給手段７Ａは、給排共用路（供給制御手段の一つ）１８から制御ユニット１６を通じて切換制御により個別に供給される洗浄水・乾燥気・消毒水（温湯）の共通路となっている。これら洗浄水・乾燥気・消毒水はそれぞれ個別の供給路を通じて供給されるようにしてもよい。
尚、図１に示すように、縦連通路７ｄはそれに交差する横連通路７ｅで連通状につないでより隅々まで洗浄水などが巡るようにしてもよい。また、図１の右下欄に示すように、斜め交差状をした斜連通路７ｆを上・下回り路７ｂ、７ｃに連通するように組み合わせてもよい。
【００１３】  １２は重点噴射用ノズルで、第１供給手段７Ａから分岐して例えば、排便個所Ｂを直接狙って洗浄水→乾燥気→消毒水の順に噴射して撹拌洗浄などが効果的になれるようにしてある。１４は回収物排除手段１５の要部である吸盤状の回収凹部で、装身具本体１の排泄位置Ｂ付近に対応する個所に密閉状に取り付けられ、その回収凹部１４には、接続ピースＪが取り付けられるとともに排除チューブ１７を介して制御ユニット１６に接続されている。
【００１４】  制御ユニット１６には、他の利用者のためにも共用されるように設置した給排共用路１８からの洗浄水・乾燥気・消毒水（３つの矢印）などの供給路が接続されるとともにそれらが切換制御により供給手段７に導かれるようになっており、一方、制御ユニット１６は回収物を排除チューブ１７から前記給排共用路１８へと排除する機能をもたせてある。尚、洗浄や排除用の圧送・吸引ポンプと全体の制御回路などは図示省略してある。また、回収凹部１４の納まりを良くするため、ベッド１９側に凹部１９ａあるいは丸穴などの開口を形成してもよい。
【００１５】  ベッド１９上の利用者は必要に応じてリモコン操作で排泄物を自己処理することができ、手元操作により供給ポンプをＯＮするとともに制御ユニット１６を洗浄水供給系に切り換えることで供給手段７に洗浄水を供給し噴射孔ｃ…を通じて装身具本体１と身体部分４との間に噴射することができる。洗浄水は一定時間であるいは必要とする時間帯において噴射して排泄物（Ａ，Ｂ）を漏らすことなく内部で撹拌洗浄すると同時に回収物排除手段１５を通じてそれら撹拌洗浄物を制御ユニット１６および共用路１８を通じてドレン系統に排除するようにする。制御ユニット１６・共用路１８・吸引ポンプなどは排除制御手段を構成し、それに回収凹部１４・排除チューブ１７などを組み合わせたものが回収物排除手段１５となっている。
【００１６】  前記撹拌洗浄は、内通路７ａ〜７ｆを形成する通路形成突条網が存在して本体１を密着した状態でなく浮いた状態にするとともに噴射孔からの洗浄水の力で浮上力を発生した状態でなされることから、撹拌洗浄が詰まることなく全体に行き渡って効果的になされるようになる。
噴射・排除の制御は、一定時間の噴射を終えたあと排除処理をする場合と、噴射しながら同時に排除処理する場合とがある。
また、１回の噴射洗浄を終えたあとに再度噴射洗浄をする場合もあり、噴射洗浄は３回以上連続して行われる場合がある。この噴射洗浄には、微細エアーが混入されることがある。また、洗浄水は脈動波を付加して噴射することもできる。
【００１７】  その後、排泄物の除去された空間には乾燥気（暖気あるいは常温気）が噴射されて身体部分４および装身具本体１側の双方表面がきれいに乾燥処置されたあと、衛生目的で消毒水が噴射投入されさらに乾燥気の噴射で内部乾燥処理されることにより１つの洗浄サイクルが完了するようになっている。
洗浄水とは、一般水（あるいは温湯）やクラスター水などの他に洗浄機能剤を含む水をも含む。洗浄水としては、溶解性の高い高純度の水を多く含むかそれを全部として含むものが好適である。また、洗浄水としては、微細加圧エアーの飽和水を使用することが排泄物を吸着しやすくする上で好適である。
【００１８】  制御ユニット１６は複数のベッド１９…上の各患者による個別的制御操作が行えるように構成することがある。尚、制御ユニット１６は図示しないリモコンでの遠隔操作により被介護者あるいは介護者などの利用者が連動制御可能とされている（以下同じ）。
【００１９】  図４および図５は自己洗浄乾燥型下半身装身具についての他の実施形態を示している。２０は装身具本体で、腰回り部分２１と足通し部分２２とを有する非透水質の１枚ものでなる。装身具本体２０の上縁部および下縁部自身は身体部分２５に密着するようになっているが、ここではさらにゴム質でなる上縁回り２３と下縁回り２４を装身具本体２０の上下縁に付して身体部分２５への密着性をアップして一定以下の内圧では洗浄水や乾燥気などが漏れ出ないように作られている。Ｊ…は脱着型接続ピースで、それぞれの内端には噴射孔が形成されるとともに、該ピースＪのうちの３つには洗浄水供給手段２７が接続されている。洗浄水供給手段２７には給排用制御ユニット３１が接続されるとともに他の接続ピースＪには制御ユニット３１からの乾燥気供給手段２８が接続されている。２９は回収凹部（回収物排除手段３０の一部）で、排除チューブ３２が接続され、該チューブ３２は制御ユニット３１に接続されている。制御ユニット３１と給排共用路３３、および圧送ポンプ、配管などは供給制御手段を構成し、同じく制御ユニット３１と給排共用路３３、および吸引ポンプ、配管などは排除制御手段を構成する。
【００２０】こうした装身具本体２０は、３Ｄスキャナーにてスキャンした装着対象である個人の身体（下半身）立体データに基づいてそのデータを用いて作動する３Ｄプリンタによる制御により該個人専用として作製されるようになっているものである。そのあと、前記接続ピースＪ…などを付設して当該個人専用の下半身装身具が完成されるようになっている。
この場合の装身具は１枚（１層）式になっているが、図１ないし図３に示すような２層式のものに３Ｄプリントでもって仕上げたものもここに含む。
【００２１】  尚、図１ないし図５に示す各実施形態においては、皮膚等に害のない撥水スプレーを排泄前において内部噴射しておける撥水剤供給噴射手段を装身具本体に付設した装身具とすることもでき、そうした装身具によれば身体回りに排泄物が残留付着しにくくきれいに除去されるようになる。
また、図４および図５に示す実施形態において前記洗浄水・乾燥気・消毒水などの供給手段は共通する単一管系統にまとめて簡素化して制御ユニットによる供給路の切換制御により洗浄水・乾燥気・消毒水などを自在に供給可能にすることがある。
さらに、図１ないし図３に示す実施形態および図４、図５に示す実施形態において、利用者（被介護者・患者など）が排便をしようとする前の段階でリモコンなどの操作により洗浄水（常温あるいは温湯、さらにエアー混じりのもの）の供給制御を開始することにより装身具本体内に洗浄水を噴射させるだけでなく同時にあるいは噴射より少し遅れたタイミングで回収物排除手段を始動させるようにすることにより内部において噴射側を基に排除側へと定常化流れとして流れる強制洗浄水流を発生・継続しておくようにし、そうした状況下で一定時間後に排便である排泄を促すようにして排泄物をその強制流に乗せて即座に強制排除するようにする洗浄処理方法並びに関連制御システムを含む装身具をここに提案する。この場合、供給量よりも排除量の方を多くして負圧吸引状態で強制洗浄水流を流すようにすれば、内部での撹拌作用が少なく抑えられて拡散なく排除させることができる。一定時間後、引く量を少なくして供給量の方を増やして洗浄してのち内部のものを排除するようにすれば内部洗浄が広範囲に確実になされるようになる。
【符号の説明】
【００２２】  １，２０…装身具本体  ２，２１…腰回り部分  ３，２２…足通し部分  ４，２５…身体部分  ７…洗浄水等の供給手段  １４，２９…回収凹部  １５，３０…回収物排除手段  １６，３１…給排用制御ユニット  １９…ベッド  ２７…洗浄水供給手段  ２８…乾燥気供給手段  Ｊ…脱着型接続ピース。
【図１】
0005994052.tif 000002
【図２】
0005994052.tif 000003
【図３】
0005994052.tif 000004
【図４】
0005994052.tif 000005
【図５】
0005994052.tif 000006